(57)【要約】【課題】  複数の排紙収容部を備える印刷装置において省スペース化を図ること。複数の排紙収容部を排紙経路方向に並べて配設した印刷装置を提供すること。複数の排紙収容部を備え、壁に掛けることができる印刷装置を提供すること。【解決手段】  プリンタ１は、記録用紙に印刷を行う印刷機構と、印刷機構から排紙された記録用紙をそれぞれ収容する第１〜第３排紙トレイ４１〜４３とを備えている。第１〜第３排紙トレイ４１〜４３は、固定板４４、側板４５及び底板から構成されるケースと、ケースを開閉する第１〜第３紙受部４６〜４８とを備え、記録用紙の排出経路方向に並べて設けられている。記録用紙が印刷機構から排出されると、第１〜第３排紙トレイ４１〜４３の第１〜第３紙受部４６〜４８のうち１つが、記録用紙の排出経路を遮る開位置に回動し、排出された記録用紙をそのケース内に収容する。【選択図】      図１
2005343611.tif 000002
【特許請求の範囲】
【請求項１】
記録用紙に印刷を行う印刷機構と、同印刷機構から排紙された記録用紙をそれぞれ収容する複数の収容部とを備えた印刷装置であって、
前記各収容部を、前記記録用紙の排出経路方向に並べて設けるとともに、前記排紙される記録用紙を該収容部に案内する開閉部材をそれぞれ設け、
前記記録用紙が前記印刷機構から排出される際に、前記複数の収容部のうち一つの収容部の前記開閉部材を前記記録用紙の排紙経路を遮る開位置に移動させ、排紙された記録用紙を、その前記開閉部材を介して前記一つの収容部に収容することを特徴とする印刷装置。
【請求項２】
請求項１に記載の印刷装置において、
前記印刷機構は、前記各収容部よりも鉛直方向において上方に設けられ、
前記各収容部は、鉛直方向に並べられて設けられていることを特徴とする印刷装置。
【請求項３】
請求項１又は２に記載の印刷装置において、
前記収容部の前記開閉部材は、上面において開口した前記収容部の側面に、回動可能に固定され、
前記収容部を開状態にする際は、前記開閉部材が前記記録用紙の排出経路を遮る位置まで回動し、前記収容部の開口を拡開して前記記録用紙を前記収容部に導き、
前記収容部を閉状態にする際は、前記記録用紙の排出経路から退出するように回動して、前記収容部の開口を縮小することを特徴とする印刷装置。
【請求項４】
請求項１〜３のいずれか１つに記載の印刷装置において、
前記記録用紙を収容する給紙ケースを備え、同給紙ケースは、筐体内に設けられた複数の用紙室に互いに異なる種類の記録用紙を収容することを特徴とする印刷装置。
【請求項５】
請求項１〜４のいずれか１つに記載の印刷装置において、
無線通信手段をさらに備え、
前記無線通信手段は、無線通信機能を備えた外部装置とデータを送受信し、前記印刷機構は、受信したデータに基づいて印刷を実行することを特徴とする印刷装置。
【発明の詳細な説明】
【技術分野】
【０００１】
本発明は、印刷装置に関する。
【背景技術】
【０００２】
従来から、複数の排紙トレイを備えた印刷装置（以下、プリンタという。）がある（例えば、特許文献１〜３参照。）。プリンタは、印刷データに関連付けられたトレイ識別データ等に基づいて、排紙トレイを選択し、その排紙トレイに印刷済みの記録用紙を搬送する。
【特許文献１】特開平１１−２９２３９０号公報
【特許文献２】特開平６−２３９５２１号公報
【特許文献３】特開平７−１８７４９０号公報
【発明の開示】
【発明が解決しようとする課題】
【０００３】
ところが、複数の排紙トレイを備えた印刷装置は、通常、大型の複写機等に具体化され、個人が使用する印刷装置としては大型すぎることがあった。
本発明は、上記問題点に鑑みてなされたものであり、その目的は、複数の排紙収容部を備える印刷装置において省スペース化を図ることにある。
【０００４】
本発明の別の目的は、複数の排紙収容部を排紙経路方向に並べて配設した印刷装置を提供することにある。
本発明の別の目的は、複数の排紙収容部を備え、壁に掛けることができる印刷装置を提供することにある。
【課題を解決するための手段】
【０００５】
本発明は、記録用紙に印刷を行う印刷機構と、同印刷機構から排紙された記録用紙をそれぞれ収容する複数の収容部とを備えた印刷装置であって、前記各収容部を、前記記録用紙の排出経路方向に並べて設けるとともに、前記排紙される記録用紙を該収容部に案内する開閉部材をそれぞれ設け、前記記録用紙が前記印刷機構から排出される際に、前記複数の収容部のうち一つの収容部の前記開閉部材を前記記録用紙の排紙経路を遮る開位置に移動させ、排紙された記録用紙を、その前記開閉部材を介して前記一つの収容部に収容する。
【０００６】
これによれば、印刷装置は、印刷機構から排紙された記録用紙をそれぞれ収容する複数の収容部を備える。また、各収容部は、前記排紙される記録用紙を各収容部に案内する開閉部材を備える。さらに、各収容部は、記録用紙の排出経路方向に順番に並べて設けられている。このため、印刷装置を排出経路方向以外の方向においてコンパクトにすることができる。また、各収容部のうち一つの収容部は、その開閉部材を記録用紙の排紙経路を遮る開位置に移動し、排紙された記録用紙をその収容部に収容する。このため、収容部が排紙経路方向に沿って並べられていても、目的とする収容部に記録用紙を確実に収容させることができる。
【０００７】
この印刷装置において、前記印刷機構は、前記各収容部よりも鉛直方向において上方に設けられ、前記各収容部は、鉛直方向に並べられて設けられている。
これによれば、印刷機構は収容部よりも鉛直方向において上方に設けられ、各収容部は、鉛直方向に並べられている。このため、印刷装置を、水平方向において大型化しないようにすることができるので、壁等に吊り下げて使用することができる。
【０００８】
この印刷装置において、前記収容部の前記開閉部材は、上面において開口した前記収容部の側面に、回動可能に固定され、前記収容部を開状態にする際は、前記開閉部材が前記記録用紙の排出経路を遮る位置まで回動し、前記収容部の開口を拡開して前記記録用紙を前記収容部に導き、前記収容部を閉状態にする際は、前記記録用紙の排出経路から退出するように回動して、前記収容部の開口を縮小する。
【０００９】
これによれば、収容部の開閉部材は、収容部の側面に回動可能に固定され、収容部を開状態にする際は、開閉部材が排出経路を遮る位置まで回動し、収容部の開口を拡開する。また、収容部を閉状態にする際は、記録用紙の排出経路から退出した位置まで回動し、収容部の開口を縮小する。このため、各収容部を鉛直方向に並べて設けても、各収容部に記録用紙を分けることができる。
【００１０】
この印刷装置において、前記記録用紙を収容する給紙ケースを備え、同給紙ケースは、筐体内に設けられた複数の用紙室に互いに異なる種類の記録用紙を収容する。
これによれば、前記記録用紙を収容する給紙ケースは、筐体内に設けられた複数の用紙室に互いに異なる種類の記録用紙を収容する。このため、複数種類の記録用紙を補充する際には、印刷装置から給紙ケースを取り外せばよいので、便利である。
【００１１】
この印刷装置において、無線通信手段をさらに備え、前記無線通信手段は、無線通信機能を備えた外部装置とデータを送受信し、前記印刷機構は、受信したデータに基づいて印刷を実行する。
【００１２】
これによれば、印刷装置は無線通信手段を備えている。この無線通信手段は、同じく無線通信機能を備えた外部装置をデータを送受信し、受信したデータに基づいて印刷機構に印刷を実行させる。このため、印刷装置にケーブルを接続しなくても、多様な外部装置からデータを受信でき、各データに基づいて印刷した記録用紙を各収容部に分けることができる。
【発明を実施するための最良の形態】
【００１３】
以下、本発明を具体化した一実施形態を図１〜図７に従って説明する。図１は、印刷装置（以下、プリンタ１と言う。）の斜視図である。
図１に示すように、プリンタ１は、側断面略Ｕ字形状の外ケース２を備えている。外ケース２は、上面及び両側面で開口している。外ケース２の前面２ａには、タッチパネル式の液晶ディスプレイ（以下、ディスプレイ４と言う。）、スイッチ５が備えられている。
【００１４】
外ケース２の下部には、内ケース６が備えられ、この内ケース６には、印刷機構としての印刷部６８（図４及び図７参照）が備えられている。この印刷部６８は、本実施形態では、インクジェット式の印刷機構であって、キャリッジに搭載された記録ヘッド、記録ヘッドにインクを供給するインクタンク、給紙機構及び排紙機構等（いずれも図示せず）を備えている。
【００１５】
また、外ケース２内であって、内ケース６の上側には、給紙ケース９が備えられている。この給紙ケース９について図２に従って説明する。図２は、給紙ケース９の斜視図、図３は、給紙ケース９の内部を説明する正断面図、図４は給紙ケース９の側断面図である。
【００１６】
図２に示すように、給紙ケース９は、上面が開口した筐体１０と、筐体１０の内部空間の中央に、幅方向（Ｙ軸方向）に平行に配設された仕切板１１を備えている。仕切板１１は、筐体１０の高さ（図２中Ｚ軸方向）よりも高く形成され、筐体１０に対して固定されている。また、仕切板１１の上端には、取っ手１２が形成されている。
【００１７】
筐体１０の内部は、仕切板１１によって２つの用紙室としての大給紙部Ｓ１，Ｓ２に区画される。２つの大給紙部Ｓ１，Ｓ２のうち、一方の大給紙部Ｓ１は、２枚の仕切板１３によってさらに３つの小給紙部Ｓ３〜Ｓ５に区画される。そして、図２中、左端に設けられた用紙室としての小給紙部Ｓ３には、記録用紙としてのハガキＰ１が、右端に設けられた用紙室としての小給紙部Ｓ５には、記録用紙Ｐ２が収容される。また、図２中奥側の大給紙部Ｓ２には、ハガキＰ１、記録用紙Ｐ２よりも大きい寸法の記録用紙Ｐ３が収容される。中央に設けられた小給紙部Ｓ４は、蓋１３ａにより閉塞され、内部に駆動モータ、駆動モータに連結する駆動機構を内蔵している。尚、ハガキＰ１、記録用紙Ｐ２，Ｐ３を互いに区別しない場合には、単に記録用紙Ｐとして説明する。
【００１８】
次に、給紙ケース９の内部を図３及び図４に従って説明する。尚、図３は、筐体１０の前壁部１０ａを切断した断面図を示している。図３に示すように、小給紙部Ｓ３内において、筐体１０の左壁部１０ｃ及び仕切板１３の間には、押さえ板１５及び給紙ローラ１６が架設されている。また、小給紙部Ｓ５において、筐体１０の右壁部１０ｄ及び仕切板１３の間には、押さえ板１７及び給紙ローラ１８が架設されている。給紙ローラ１６，１８は、押さえ板１５よりも底壁部１０ｅ側に配設されている。
【００１９】
さらに、中央の小給紙部Ｓ４には、各給紙ローラ１６，１８を回転駆動させる駆動機構及び駆動モータを内蔵したケース駆動部Ｋが備えられている。
図４に示すように、小給紙部Ｓ５を構成する仕切板１１側には、回動板２０がＺ軸方向と平行に配設されている。回動板２０は、小給紙部Ｓ５の幅方向（Ｙ軸方向）の長さとほぼ同じ長さになるように形成されており、回動板２０の基端部には回動軸２１が嵌挿されている。回動軸２１は、筐体１０の右壁部１０ｄ（図３参照）と仕切板１３との間に架設され、ケース駆動部Ｋに連結されている。その結果、回動板２０は、回動軸２１を中心に、その先端が仕切板１１から離間する方向及び近づく方向に回動可能になっている。また、小給紙部Ｓ５の押さえ板１７には、発光部と受光部とを備えた図示しないセンサが設けられている。
【００２０】
この回動板２０と、押さえ板１７との間には、記録用紙Ｐ２が挿入される。そして、記録用紙Ｐ２を下側の内ケース６に設けた印刷部６８に給紙する際には、ケース駆動部Ｋが、回動板２０を回動し、記録用紙Ｐの下端を持ち上げる（図４中右側の大給紙部Ｓ２参照）。前記押さえ板１７に備えられた前記センサにより、記録用紙Ｐ２の下端が押さえ板１７に当接したことが検出されると、ケース駆動部Ｋは、回動板２０の回動を停止する。このとき、給紙ローラ１８が記録用紙Ｐ２の下端に当接し、給紙ローラ１８の回転により、記録用紙Ｐ２は、筐体１０の底壁部１０ｅに貫通形成された給紙口２３から１枚ずつ搬送される。そして、給紙口２３から搬送された記録用紙Ｐ２は、内ケース６の上板６６に貫通形成された孔を介して、内ケース６に搬送される。
【００２１】
内ケース６内であって、給紙口２３の下方には、一対のローラ２４が設けられている。各ローラ２４は、給紙口２３から搬送された記録用紙Ｐ２を、印刷部６８に導くようになっている。尚、押さえ板１７、回動板２０、給紙ローラ１８、ケース駆動部Ｋ等は、給紙ケース９の給紙機構６５（図７参照）を構成する。
【００２２】
同様に、大給紙部Ｓ２内には、押さえ板２５、回動板２６、給紙ローラ２７が備えられている。また、大給紙部Ｓ２に対応する、筐体１０の底壁部１０ｅには、給紙口２８が貫通形成されている。また、この給紙口２８に対応する内ケース６内には、１対のローラ２９が配設されている。従って、大給紙部Ｓ２内に収容された記録用紙Ｐ３は、回動板２６、押さえ板２５及び給紙ローラ２７により内ケース６に搬送され、ローラ２９によって内ケース６の印刷部６８に搬送される。
【００２３】
さらに、図２中左側の小給紙部Ｓ３には、右側の小給紙部Ｓ５及び背面側の大給紙部Ｓ２と同様に、押さえ板、回動板、給紙ローラ、（いずれも図示せず）、給紙口２３（図３参照）等が備えられている。
【００２４】
給紙ケース９から搬送された記録用紙Ｐは、図４に示す印刷部６８の挿入口６ａ〜６ｃのいずれか一つから印刷部６８に挿入される。印刷部６８内に挿入された記録用紙Ｐは、図示しない印刷機構により印刷され、排紙機構により印刷部６８外に搬送される。印刷部６８には、排紙ガイド部材３０が連結され、排紙ガイド部材３０まで搬送された記録用紙Ｐは、同じく内ケース６内に設けられた排紙ローラ３１により搬送される。そして、外ケース２（内ケース６）の底面２ｅに設けられた排紙口３２から、外ケース２外に搬送される。
【００２５】
次に、収容部としての第１〜第３排紙トレイ４１〜４３について、図１、図５及び図６に従って説明する。尚、図５及び図６は、プリンタ１の要部側面図である。
図１に示すように、外ケース２には、外ケース２の背面２ｄと連続するように固定板４４が固定されている。固定板４４の両側には、一対の側板４５が取着されている。さらに、各側板４５の間には、板状に形成された、開閉部材としての第１〜第３紙受部４６〜４８と底板４９〜５１（図５参照）が取着されている。この構成により、第１〜第３排紙トレイ４１〜４３が、鉛直方向（排紙経路方向）に順番に並んで設けられている。尚、図５及び図６は、側板４５を切断した要部断面図を示している。
【００２６】
第１〜第３排紙トレイ４１〜４３は、略直方体状に形成され、大給紙部Ｓ２に挿入された記録用紙Ｐ３の寸法よりも若干大きめに形成されている。また、第１〜第３排紙トレイ４１〜４３の奥行き（Ｘ軸方向）の長さは、幅（Ｙ軸方向）及び高さ（Ｚ軸方向）の長さよりも短く形成され、厚みが小さくなっている。また、図５に示すように、第１〜第３紙受部４６〜４８は、左右一対の側板４５に対して、外ケース２の排紙口３２よりも固定板４４側に配置するように固定されている。このため、第１〜第３排紙トレイ４１〜４３が閉状態、即ち第１〜第３紙受部４６〜４８が閉位置にある場合には、排紙口３２から記録用紙Ｐが落とされても、第１〜第３排紙トレイ４１〜４３に収容されない。
【００２７】
また、第１〜第３紙受部４６〜４８は、それぞれ上部回動板Ｕと下部支持板Ｌとからなり、上部回動板Ｕは下部支持板Ｌに対して図示しないヒンジ機構により回動可能に取着されている。また、側板４５の内側には、各上部回動板Ｕを回動する図示しない第１〜第３トレイ駆動機構７１〜７３（図７参照）が備えられている。第１〜第３トレイ駆動機構７１〜７３は、上部回動板Ｕに連結された図示しない回動レバー、その回動レバーに一体に設けられた図示しない従動ギヤ、その従動ギヤに歯合する図示しない駆動ギヤ及び駆動ギヤを回転させる図示しないモータ等をそれぞれ備えている。
【００２８】
従って、例えば、印刷済みの記録用紙Ｐを、第２排紙トレイ４２に排紙する場合には、第２トレイ駆動機構７２の駆動により、第２排紙トレイ４２の上部回動板Ｕを開位置まで回動する。すると、図６に示すように、上部回動板Ｕが閉位置から反時計回りに回動して、図６に示すように外側に傾いた状態になる。このとき、上部回動板Ｕの先端は、排紙口３２の軸線よりも外側に配置される。その結果、第２排紙トレイ４２の開口が拡開され、排紙口３２から排紙された記録用紙Ｐは、第１排紙トレイ４１に収容されずに重力に従って落下する。そして、記録用紙Ｐは、記録用紙Ｐの落下する軌跡（排紙経路）を遮るように配置された第２紙受部４７に受け止められ、第２紙受部４７の裏面を摺動しながら第２排紙トレイ４２に収容される。尚、排紙口３２から第３排紙トレイ４３までは、給紙ケース９に収容される記録用紙Ｐが、空気抵抗により水平方向（Ｘ軸方向又はＹ軸方向）に浮遊せずに、鉛直方向（反Ｚ軸方向）に沿ってほぼ真っ直ぐに落下可能な長さになっている
。また、給紙ケース９に収容される記録用紙Ｐは、少なくとも第３排紙トレイ４３までほぼ真っ直ぐに落下するような質量を有している。
【００２９】
また、図５に示すように、外ケース２の背面２ｄ及び固定板４４の背面には、被掛止部３５，３６が設けられている。このため、部屋の壁等に設けられた掛止部Ｆに、プリンタ１の被掛止部３５，３６を引っ掛けると、プリンタ１を壁Ｗに吊り下げて使用することができる。尚、固定板４４、側板４５、底板４９〜５１、第１〜第３紙受部４６〜４８等により第１〜第３排紙トレイ４１〜４３が構成される。
【００３０】
次に、プリンタ１の電気的構成について図７に従って説明する。制御部６０は、外ケース２内に設けられ、記憶部６１に格納されたプログラムに従って、各駆動回路とデータを送受信する。また、制御部６０は、外ケース２の前面２ａに配設されたディスプレイ４から送信された命令を受信し、この命令に従って各駆動回路を駆動する。さらに、制御部６０は、外ケース２内に設けられた、無線通信手段としての無線通信部６２と各種データを送受信する。無線通信部６２は、アンテナ等を備えており、パソコン、デジタルカメラ等の無線通信機能を備えた外部装置とデータの送受信を行う。尚、外部装置には、プリンタ１と共有するデータを送受信可能にするためのプログラムが予め格納されている。
【００３１】
また、給紙ケース駆動回路６３は、ケース接続部６４を介して、給紙ケース９の給紙機構６５を駆動する。ケース接続部６４は、外ケース２内に設けた内ケース６の上板６６（図４参照）に設けられ、給紙ケース９が内ケース６の上面に配設された際に、給紙ケース９の筐体１０の底壁部１０ｅに設けられた端子と電気的に接続するようになっている。
【００３２】
印刷部駆動回路６７は、制御部６０からの信号に従って、内ケース６に設けられた印刷部６８を駆動する。排紙トレイ駆動回路６９は、制御部６０からの信号に従って、第１〜第３トレイ駆動機構７１〜７３を駆動する。つまり、排紙トレイ駆動回路６９が、制御部６０から第１排紙トレイ４１を開状態にする命令を受信すると、第１紙受部４６の上部回動板Ｕと連結される第１トレイ駆動機構７１を駆動する。
【００３３】
次に、プリンタ１の作用について説明する。プリンタ１に記録用紙Ｐをセットする際は、ユーザは、外ケース２から給紙ケース９を取り外す。このとき、外ケース２の両側のいずれか一方からスライド移動させるか、外ケース２の上側から持ち上げるようにして取り出す。そして、小給紙部Ｓ３，Ｓ５又は大給紙部Ｓ２に記録用紙Ｐ１〜Ｐ３をそれぞれ補充する。記録用紙Ｐ１〜Ｐ３を補充すると、給紙ケース９を内ケース６上面に配置する。
【００３４】
さらに、ユーザは、外ケース２の前面２ａに設けられたスイッチ５を押下して、主電源を入れる。このとき、制御部６０は、給紙ケース駆動回路６３を駆動して、ケース接続部６４と給紙ケース９の端子が接続されているか否か判断する。接続状態を検出した場合には、制御部６０は次の動作に移る。非接続状態を検出した場合には、制御部６０は、記憶部６１に格納されたプログラムに従って、ディスプレイ４に、給紙ケース９がセットされていない旨の通知を表示する。
【００３５】
給紙ケース９が外ケース２内に配置されると、制御部６０は、無線通信部６２を駆動し、外部装置からデータを受信したか否かを判断する。無線通信部６２が、外部装置から無線通信にて例えば画像データを受信した場合には、制御部６０は、受信した画像データを無線通信部６２から受取る。そして、受信した画像データに付与された識別データに基づいて、駆動する排紙トレイを第１〜第３排紙トレイ４１〜４３の中から選択する。
【００３６】
つまり、例えば、第１〜第３排紙トレイ４１〜４３が、人物毎に使い分けられている場合には、パソコン等から画像データ等が送信される際に、ユーザの操作等により、画像デ
ータに「第１排紙トレイ」又は「人物Ａ」を示す識別データが付与される。また、「人物Ｂ」が所有する携帯端末Ｂから送信される画像データは、「第２排紙トレイ」又は「人物Ｂ」を示す識別データがユーザの操作なしでも自動的に付与される。
【００３７】
制御部６０は、無線通信部６２から受信した画像データに付与された識別データと、記憶部６１に格納された変換テーブル等を使用して、使用する排紙トレイを判断する。そして、制御部６０は、画像データに基づいて印刷データを作成する。
【００３８】
次に、制御部６０は、給紙ケース９内の前記センサを駆動して、記録用紙の有無を判断し、記録用紙が無いと判断した場合にはディスプレイ４にエラー通知を表示する。記録用紙が有ると判断した場合には、制御部６０は、受信した画像データの大きさ、又は画像データに付与された、用紙種類のデータに基づいて、使用する記録用紙Ｐを判断する。また、制御部６０は、選択した記録用紙Ｐが収容された、大給紙部Ｓ２、小給紙部Ｓ３，Ｓ５に対応する給紙機構６５を駆動する。
【００３９】
例えば、制御部６０が、ハガキＰ１を使用して印刷を実行すると判断した場合には、給紙ケース駆動回路６３を駆動して、ハガキＰ１を収容した小給紙部Ｓ３内の給紙機構６５を駆動する。すると、小給紙部Ｓ３内のハガキＰ１が、給紙口２３（図３参照）を介して内ケース６に搬送される。
【００４０】
内ケース６内に記録用紙Ｐが搬送されると、制御部６０は、印刷部駆動回路６７に信号を送信して、印刷部６８を駆動する。印刷部６８を構成する記録ヘッドは、記録用紙Ｐに対して相対移動しながらインクを吐出して印刷を行う。印刷された記録用紙Ｐ（印刷物）は、排紙機構により、排紙口３２を介して外ケース２外に搬送される。
【００４１】
このとき、制御部６０は、排紙トレイ駆動回路６９に、第１〜第３排紙トレイ４１〜４３のいずれか一つを駆動する命令を送信する。例えば、制御部６０が、第２排紙トレイ４２を駆動する命令を送信した場合には、排紙トレイ駆動回路６９は、側板４５に配設された第２トレイ駆動機構７２を駆動して、第２紙受部４７の上部回動板Ｕを閉位置から開位置まで、図５中反時計回りに回動する。開位置まで回動された第２紙受部４７は、排紙口３２から排紙された記録用紙Ｐの排紙経路を遮る位置に配置される。
【００４２】
排紙口３２から記録用紙Ｐが落下すると、記録用紙Ｐは第２紙受部４７に当たり、第２紙受部４７の裏面を摺動しながら、第２紙受部４７と固定板４４との間に収容される。
制御部６０は、排紙口３２から記録用紙Ｐを落下させた後、所定時間が経過すると、排紙トレイ駆動回路６９に信号を送信して、第２排紙トレイ４２の上部回動板Ｕを開位置から閉位置まで時計回りに回動する。
【００４３】
制御部６０は、第２排紙トレイ４２を閉状態にすると、無線通信部６２が外部装置からのデータを受信するまで待機する。
そして、ユーザが、印刷物を第１〜第３排紙トレイ４１〜４３のいずれかから取り出す場合には、ユーザはディスプレイ４に表示されたメニュー画面等に従って、開状態にしたい第１〜第３排紙トレイ４１〜４３うち一つを選択する。ディスプレイ４において、第１〜第３排紙トレイ４１〜４３のうち、一つが選択されると、ディスプレイ４の駆動回路から制御部６０にトレイを指定する命令が送信される。制御部６０は、この命令を受信すると、排紙トレイ駆動回路６９に信号を送信し、対応する第１〜第３トレイ駆動機構７１〜７３を駆動する。すると、指定された第１〜第３排紙トレイ４１〜４３の１つが開状態となり、内部の記録用紙Ｐが取出し可能となる。記録用紙Ｐを取り出すと、ユーザは再びディスプレイ４を操作して、開状態となった第１〜第３排紙トレイ４１〜４３を閉状態にする。そして、ユーザが、プリンタ１の動作を終了したい場合には、スイッチ５を押下する
と、主電源が切れる。
【００４４】
上記実施形態によれば、以下のような効果を得ることができる。
（１）上記実施形態では、プリンタ１は、外ケース２内に設けた内ケース６に、印刷部６８を備えるようにした。また、プリンタ１は、外ケース２に取着された固定板４４に対して上下方向（鉛直方向、排紙経路方向）に第１〜第３排紙トレイ４１〜４３を並設した。これらの第１〜第３排紙トレイ４１〜４３は、底板４９〜５１、開閉可能な第１〜第３紙受部４６〜４８を備え、外ケース２から排紙される記録用紙Ｐの排紙経路（落下する軌跡）方向に沿って順番に並べられて設けられている。そして、外ケース２から記録用紙Ｐを排紙する際には、第１〜第３紙受部４６〜４８のうち一つが、記録用紙Ｐの排紙経路を遮る開位置に回動し、排紙された記録用紙Ｐを、トレイ内に収容する。
【００４５】
つまり、第１〜第３排紙トレイ４１〜４３を、鉛直方向（Ｚ軸方向）に沿って並べて配設したので、複数の排紙トレイを備えた場合にも、プリンタ１を水平方向（Ｘ軸方向及びＹ軸方向）に大型化しない。つまり、プリンタ１の厚み（Ｘ軸方向）を小さくすることができるので、部屋の壁に掛けて使用することができる。
【００４６】
（２）上記実施形態では、プリンタ１は、それぞれ異なる寸法の記録用紙Ｐを収容する、大給紙部Ｓ２、小給紙部Ｓ３，Ｓ５を設けた給紙ケース９を備えるようにした。このため、複数種類の記録用紙Ｐを補充する場合には、外ケース２から給紙ケース９を取り外せばよいので、手軽に使用できる。
【００４７】
（３）上記実施形態では、プリンタ１に無線通信部６２を備えた。そして、無線通信機能を備えたパソコン、携帯電話等の外部装置から画像データ等を無線通信にて受信するようにした。そして、プリンタ１は、外部装置から受信したデータに基づいて、印刷を実行するようにした。このため、プリンタ１にケーブルを接続せずに、多様な外部装置からデータを受信でき、各データに基づいて印刷した記録用紙Ｐを第１〜第３排紙トレイ４１〜４３に分けることができる。
【００４８】
尚、上記実施形態は以下のように変更してもよい。
・上記実施形態では、第１〜第３トレイ駆動機構７１〜７３は、回動レバー、従動ギヤ等から構成されるとしたが、その他の機構でもよい。例えば、上部回動板Ｕに回転不能に固定された軸部、その軸部をガイド溝に沿って移動させるギヤ機構等から構成してもよい。
【００４９】
・上記実施形態では、印刷部６８は、レーザプリンタ、感熱式のプリンタから構成してもよい。
・上記実施形態では、印刷部６８に記録用紙Ｐを搬送する給紙手段として、それぞれ異なる種類の記録用紙を収容する給紙トレイを外ケース２に設けてもよい。
【００５０】
・上記実施形態では、プリンタ１の無線通信部６２を省略し、プリンタ１にケーブルを接続してデータを送受するようにしてもよい。
・上記実施形態では、プリンタ１に、３つの第１〜第３排紙トレイ４１〜４３を設けたが、３つ以外の複数個でもよい。
【００５１】
・上記実施形態では、給紙ケース９を４つに区画し、大給紙部Ｓ２、小給紙部Ｓ３，Ｓ５を設けたが、これ以外の数の空間に区画してもよい。または、給紙ケース９は、複数の空間に区画されず、１種類の記録用紙Ｐを収容するようにしてもよい。
【００５２】
・上記実施形態において、記録用紙Ｐは、紙以外にも、樹脂からなるフィルム等も含ま
れるものとする。
・上記実施形態では、プリンタ１に、第１〜第３排紙トレイ４１〜４３まで記録用紙Ｐを搬送する搬送ローラを設けてもよい。具体的には、図８に示すように、第１〜第３排紙トレイ４１〜４３の前方に左右両端がＬ字状に折り曲げられたガイド板Ｇを設ける。そして、ガイド板Ｇの各折曲部の間に各搬送ローラＲを軸支し、搬送ローラＲとガイド板Ｇとの間に記録用紙を挟持して搬送してもよい。例えば、第３排紙トレイ４３まで記録用紙Ｐを搬送するときは、回転する搬送ローラＲと、第１及び第２紙受部４６，４７との間で挟持しながら、記録用紙Ｐを第３排紙トレイ４３まで搬送する。
【００５３】
また、搬送ローラＲは、図９に示すように第１及び第２排紙トレイ４１，４２の第１及び第２紙受部４６，４７の前面に軸支してもよい。このとき、第１及び第２紙受部４６，４７の前面には、左右一対の支持部Ｓが設けられ、これらの支持部Ｓの間に搬送ローラＲが架設される。このような場合、印刷物を取り出す際には、ガイド板Ｇに形成された図示しない扉を開けて、取り出す。
【００５４】
・上記実施形態では、図１０に示すように、第１〜第３排紙トレイ４１〜４３を、布等からなる袋部から構成し、その袋部の開口を拡開及び縮小させる駆動機構を備えても良い。つまり、例えば、第３排紙トレイ４３が開状態となる場合には、袋部の前面が、図１０中略Ｘ軸方向に移動して、袋部の開口が拡開し、記録用紙Ｐの排紙経路を遮る。閉状態となる場合には、袋部の前面が反Ｘ軸方向に移動して、袋部の開口が縮小して排紙経路から退出する。この駆動機構としては、例えば、袋部の前面に一端を固定され、他端が外ケース２に固定されたワイヤ７５と、ワイヤ７５を前方及び後方に移動する図示しないスライド手段等がある。
【００５５】
・上記実施形態では、側板４５を省略し、第１〜第３排紙トレイ４１〜４３を、箱体状のケースから構成してもよい。また、このとき、第１〜第３排紙トレイ４１〜４３をＸ軸方向及び反Ｘ軸方向にスライド移動させる駆動機構を備え、第１〜第３排紙トレイ４１〜４３自体を前方及び後方に、引き出しのように平行移動させることで開閉するようにしてもよい。
【図面の簡単な説明】
【００５６】
【図１】本発明のプリンタの斜視図。
【図２】同プリンタの給紙ケースの斜視図。
【図３】同給紙ケースの内部を説明する正断面図。
【図４】同給紙ケースの側断面図。
【図５】同プリンタの要部側面図。
【図６】同プリンタの要部側面図。
【図７】同プリンタの電気的構成を説明する説明図。
【図８】別例のプリンタの要部側面図。
【図９】別例のプリンタの要部側面図。
【図１０】別例のプリンタの斜視図。
【符号の説明】
【００５７】
１…印刷装置としてのプリンタ、９…給紙ケース、１０…筐体、４１〜４３…収容部としての第１〜第３排紙トレイ、４４…ケースを構成する固定板、４５…ケースを構成する側板、４６〜４８…開閉部材としての第１〜第３紙受部、６２…無線通信手段としての無線通信部、６８…印刷部、Ｐ１…記録用紙としてのハガキ、Ｐ２，Ｐ３…記録用紙、Ｓ２…用紙室としての大給紙部、Ｓ３，Ｓ５…用紙室としての小給紙部。
【図１】
2005343611.tif 000003
【図２】
2005343611.tif 000004
【図３】
2005343611.tif 000005
【図４】
2005343611.tif 000006
【図５】
2005343611.tif 000007
【図６】
2005343611.tif 000008
【図７】
2005343611.tif 000009
【図８】
2005343611.tif 000010
【図９】
2005343611.tif 000011
【図１０】
2005343611.tif 000012